【手続補正書】
【提出日】平成20年9月16日(2008.9.16)
【手続補正１】
【補正対象書類名】明細書
【補正対象項目名】特許請求の範囲
【補正方法】変更
【補正の内容】
【特許請求の範囲】
【請求項１】
プリンタで印刷される印刷データを生成する情報処理装置であって、
ドキュメントの印刷を行う際に、当該ドキュメントの印刷指示と、印刷範囲の指定と、を受け付ける受付手段と、
指定された前記印刷範囲と、前記ドキュメントに設定された印刷設定とに基づいて、指定された印刷範囲内で印刷処理が可能であるかを判断する判断手段と、
前記判断手段による判断結果に基づいて、印刷処理が可能な印刷範囲を決定する印刷範囲決定手段と、
を備えることを特徴とする情報処理装置。
【請求項２】
ドキュメントの印刷を行なう際に、当該ドキュメントに設定された印刷設定を変更し、前記印刷設定の保存指示を出力するデータ制御手段と、
前記データ制御手段による前記保存指示に基づき、当該変更された印刷設定を有効な印刷設定として更新し、保存する保存制御手段と、を更に備え、
前記印刷範囲決定手段は、前記保存制御手段により保存された印刷設定、または、前記データ制御手段により変更された保存前の印刷設定に基づき、前記印刷範囲の印刷データを生成することを特徴とする請求項１に記載の情報処理装置。
【請求項３】
前記データ制御手段は、前記ドキュメントに設定された印刷設定を印刷単位に変更し、前記印刷単位の印刷を制御するための制御データを前記印刷設定に付加することを特徴とする請求項２に記載の情報処理装置。
【請求項４】
前記印刷範囲決定手段は、決定された前記印刷処理が可能な印刷範囲と、前記印刷設定と、に基づいて、印刷単位に印刷データを生成することを特徴とする請求項１または２に記載の情報処理装置。
【請求項５】
前記データ制御手段により、前記ドキュメントの途中のページから印刷を開始するリカバー印刷を行うための印刷設定に変更された場合、前記保存制御手段は、前記データ制御手段の保存指示に従い、前記印刷設定を更新して、前記印刷設定を保存することを特徴とする請求項２に記載の情報処理装置。
【請求項６】
前記印刷範囲決定手段は、前記印刷指示に、前記リカバー印刷が指定されている場合、前記リカバー印刷を行う印刷範囲を決定し、前記印刷範囲に対する印刷データを生成することを特徴とする請求項５に記載の情報処理装置。
【請求項７】
前記印刷範囲決定手段は、前記印刷指示で、前記リカバー印刷が指定されている場合、印刷範囲の途中のページからの印刷開始を許さない印刷設定がされているか否かを判定し、
前記判定の結果により、前記途中のページからの印刷開始を許さない印刷設定がされている場合、前記途中のページからの印刷開始を許さない印刷設定がされている最初のページを前記リカバー印刷を開始する最初のページに決定することを特徴とする請求項５または６に記載の情報処理装置。
【請求項８】
前記印刷単位は、前記ドキュメントを構成するページ単位であることを特徴とする請求項３または４に記載の情報処理装置。
【請求項９】
プリンタで印刷される印刷データを生成する情報処理方法であって、
ドキュメントの印刷を行う際に、当該ドキュメントの印刷指示と、印刷範囲の指定と、を受け付ける受付工程と、
指定された前記印刷範囲と、前記ドキュメントに設定された印刷設定とに基づいて、指定された印刷範囲内で印刷処理が可能であるかを判断する判断工程と、
前記判断工程による判断結果に基づいて、印刷処理が可能な印刷範囲を決定する印刷範囲決定工程と、
を有することを特徴とする情報処理方法。
【請求項１０】
ドキュメントの印刷を行なう際に、当該ドキュメントに設定された印刷設定を変更し、前記印刷設定の保存指示を出力するデータ制御工程と、
前記データ制御工程による前記保存指示に基づき、当該変更された印刷設定を有効な印刷設定として更新し、保存する保存制御工程と、を更に有し、
前記印刷範囲決定工程は、前記保存制御工程の処理によりメモリに保存された印刷設定、または、前記データ制御工程の処理により変更された保存前の印刷設定に基づき、前記印刷範囲の印刷データを生成することを特徴とする請求項９に記載の情報処理方法。
【請求項１１】
前記データ制御工程は、前記ドキュメントに設定された印刷設定を印刷単位に変更し、前記印刷単位の印刷を制御するための制御データを前記印刷設定に付加することを特徴とする請求項１０に記載の情報処理方法。
【請求項１２】
前記印刷範囲決定工程は、決定された前記印刷処理が可能な印刷範囲と、前記印刷設定と、に基づいて、印刷単位に印刷データを生成することを特徴とする請求項９または１０に記載の情報処理方法。
【請求項１３】
前記データ制御工程により、前記ドキュメントを構成する途中のページから印刷を開始するリカバー印刷を行うための印刷設定に変更された場合、前記保存制御工程は、前記データ制御工程の保存指示に従い、前記印刷設定を更新して、前記印刷設定をメモリに格納することを特徴とする請求項１０に記載の情報処理方法。
【請求項１４】
前記印刷範囲決定工程は、前記印刷指示において、前記リカバー印刷が指定されている場合、前記リカバー印刷を行う印刷範囲を決定し、前記印刷範囲に対する印刷データを生成することを特徴とする請求項１３に記載の情報処理方法。
【請求項１５】
前記印刷範囲決定工程は、前記印刷指示で、前記リカバー印刷が指定されている場合、印刷範囲の途中のページからの印刷開始を許さない印刷設定がされているか否かを判定し、
前記判定の結果により、前記途中のページからの印刷開始を許さない印刷設定がされている場合、前記途中のページからの印刷開始を許さない印刷設定がされている最初のページを前記リカバー印刷を開始する最初のページに決定することを特徴とする請求項１３または１４に記載の情報処理方法。
【請求項１６】
前記印刷単位は、前記ドキュメントを構成するページ単位であることを特徴とすることを特徴とする請求項１１または１２に記載の情報処理方法。
【請求項１７】
請求項９乃至１６のいずれか１項に記載の情報処理方法をコンピュータに実行させることを特徴とするコンピュータプログラム。
【請求項１８】
請求項１７に記載のコンピュータプログラムを格納したことを特徴とするコンピュータ可読の記憶媒体。
【手続補正２】
【補正対象書類名】明細書
【補正対象項目名】発明の名称
【補正方法】変更
【補正の内容】
【発明の名称】情報処理装置、情報処理方法、コンピュータプログラム及び記憶媒体
【手続補正３】
【補正対象書類名】明細書
【補正対象項目名】００１４
【補正方法】変更
【補正の内容】
【００１４】
すなわち、プリンタで印刷される印刷データを生成する情報処理装置は、
ドキュメントの印刷を行う際に、当該ドキュメントの印刷指示と、印刷範囲の指定と、を受け付ける受付手段と、
指定された前記印刷範囲と、前記ドキュメントに設定された印刷設定とに基づいて、指定された印刷範囲内で印刷処理が可能であるかを判断する判断手段と、
前記判断手段による判断結果に基づいて、印刷処理が可能な印刷範囲を決定する印刷範囲決定手段と、を備えることを特徴とする。
【手続補正４】
【補正対象書類名】明細書
【補正対象項目名】００１５
【補正方法】変更
【補正の内容】
【００１５】
好ましくは、上記の情報処理装置において、ドキュメントの印刷を行なう際に、当該ドキュメントに設定された印刷設定を変更し、前記印刷設定の保存指示を出力するデータ制御手段と、
前記データ制御手段による前記保存指示に基づき、当該変更された印刷設定を有効な印刷設定として更新し、保存する保存制御手段と、を更に備え、
前記印刷範囲決定手段は、前記保存制御手段により保存された印刷設定、または、前記データ制御手段により変更された保存前の印刷設定に基づき、前記印刷範囲の印刷データを生成することを特徴とする。
【手続補正５】
【補正対象書類名】明細書
【補正対象項目名】００１６
【補正方法】変更
【補正の内容】
【００１６】
好ましくは、上記の情報処理装置において、前記データ制御手段は、前記ドキュメントに設定された印刷設定を印刷単位に変更し、前記印刷単位の印刷を制御するための制御データを前記印刷設定に付加することを特徴とする。
【手続補正６】
【補正対象書類名】明細書
【補正対象項目名】００１７
【補正方法】変更
【補正の内容】
【００１７】
好ましくは、上記の情報処理装置において、前記印刷範囲決定手段は、決定された前記印刷処理が可能な印刷範囲と、前記印刷設定と、に基づいて、印刷単位に印刷データを生成することを特徴とする。
【手続補正７】
【補正対象書類名】明細書
【補正対象項目名】００１８
【補正方法】変更
【補正の内容】
【００１８】
好ましくは、上記の情報処理装置において、前記データ制御手段により、前記ドキュメントの途中のページから印刷を開始するリカバー印刷を行うための印刷設定に変更された場合、前記保存制御手段は、前記データ制御手段の保存指示に従い、前記印刷設定を更新して、前記印刷設定を保存することを特徴とする。
【手続補正８】
【補正対象書類名】明細書
【補正対象項目名】００１９
【補正方法】変更
【補正の内容】
【００１９】
好ましくは、上記の情報処理装置において、前記印刷範囲決定手段は、前記印刷指示に、前記リカバー印刷が指定されている場合、前記リカバー印刷を行う印刷範囲を決定し、前記印刷範囲に対する印刷データを生成することを特徴とする。
【手続補正９】
【補正対象書類名】明細書
【補正対象項目名】００２０
【補正方法】変更
【補正の内容】
【００２０】
好ましくは、上記の情報処理装置において、前記印刷範囲決定手段は、前記印刷指示で、前記リカバー印刷が指定されている場合、印刷範囲の途中のページからの印刷開始を許さない印刷設定がされているか否かを判定し、
前記判定の結果により、前記途中のページからの印刷開始を許さない印刷設定がされている場合、前記途中のページからの印刷開始を許さない印刷設定がされている最初のページを前記リカバー印刷を開始する最初のページに決定することを特徴とする。
【手続補正１０】
【補正対象書類名】明細書
【補正対象項目名】００２１
【補正方法】変更
【補正の内容】
【００２１】
また、プリンタで印刷される印刷データを生成する情報処理方法は、
ドキュメントの印刷を行う際に、当該ドキュメントの印刷指示と、印刷範囲の指定と、を受け付ける受付工程と、
指定された前記印刷範囲と、前記ドキュメントに設定された印刷設定とに基づいて、指定された印刷範囲内で印刷処理が可能であるかを判断する判断工程と、
前記判断工程による判断結果に基づいて、印刷処理が可能な印刷範囲を決定する印刷範囲決定工程と、
を有することを特徴とする。
【手続補正１１】
【補正対象書類名】明細書
【補正対象項目名】００２２
【補正方法】変更
【補正の内容】
【００２２】
好ましくは、上記の情報処理方法において、ドキュメントの印刷を行なう際に、当該ドキュメントに設定された印刷設定を変更し、前記印刷設定の保存指示を出力するデータ制御工程と、
前記データ制御工程による前記保存指示に基づき、当該変更された印刷設定を有効な印刷設定として更新し、保存する保存制御工程と、を更に有し、
前記印刷範囲決定工程は、前記保存制御工程の処理によりメモリに保存された印刷設定、または、前記データ制御工程の処理により変更された保存前の印刷設定に基づき、前記印刷範囲の印刷データを生成することを特徴とする。
【手続補正１２】
【補正対象書類名】明細書
【補正対象項目名】００２３
【補正方法】変更
【補正の内容】
【００２３】
好ましくは、上記の情報処理方法において、前記データ制御工程は、前記ドキュメントに設定された印刷設定を印刷単位に変更し、前記印刷単位の印刷を制御するための制御データを前記印刷設定に付加することを特徴とする。
【手続補正１３】
【補正対象書類名】明細書
【補正対象項目名】００２４
【補正方法】変更
【補正の内容】
【００２４】
好ましくは、上記の情報処理方法において、前記印刷範囲決定工程は、決定された前記印刷処理が可能な印刷範囲と、前記印刷設定と、に基づいて、印刷単位に印刷データを生成することを特徴とする。
【手続補正１４】
【補正対象書類名】明細書
【補正対象項目名】００２５
【補正方法】変更
【補正の内容】
【００２５】
好ましくは、上記の情報処理方法において、前記データ制御工程により、前記ドキュメントを構成する途中のページから印刷を開始するリカバー印刷を行うための印刷設定に変更された場合、前記保存制御工程は、前記データ制御工程の保存指示に従い、前記印刷設定を更新して、前記印刷設定をメモリに格納することを特徴とする。
【手続補正１５】
【補正対象書類名】明細書
【補正対象項目名】００２６
【補正方法】変更
【補正の内容】
【００２６】
好ましくは、上記の情報処理方法において、前記印刷範囲決定工程は、前記印刷指示において、前記リカバー印刷が指定されている場合、前記リカバー印刷を行う印刷範囲を決定し、前記印刷範囲に対する印刷データを生成することを特徴とする。
【手続補正１６】
【補正対象書類名】明細書
【補正対象項目名】００２７
【補正方法】変更
【補正の内容】
【００２７】
好ましくは、上記の情報処理方法において、前記印刷範囲決定工程は、前記印刷指示で、前記リカバー印刷が指定されている場合、印刷範囲の途中のページからの印刷開始を許さない印刷設定がされているか否かを判定し、
前記判定の結果により、前記途中のページからの印刷開始を許さない印刷設定がされている場合、前記途中のページからの印刷開始を許さない印刷設定がされている最初のページを前記リカバー印刷を開始する最初のページに決定することを特徴とする。
【手続補正１７】
【補正対象書類名】明細書
【補正対象項目名】００２８
【補正方法】変更
【補正の内容】
【００２８】
また、コンピュータプログラムが、上記の情報処理方法をコンピュータに実行させることを特徴とする。
【手続補正１８】
【補正対象書類名】明細書
【補正対象項目名】００２９
【補正方法】変更
【補正の内容】
【００２９】
また、コンピュータ可読の記憶媒体が、上記のコンピュータプログラムを格納したことを特徴とする。